(57)【要約】      （修正有）【課題】修理業者の広告を設備内に掲載してもらいやすくすることを可能にする広告付きシールおよび広告付きシートを提供する。【解決手段】広告付きシールは、設備を管理する設備管理者から設備を使用する設備使用者に向けた設備使用者向けメッセージが表示される設備使用者向けメッセージ表示領域１２０と、修理業者の連絡先および／または修理業者のサービス内容が表示される広告表示領域１４０とを有する。広告付きシートは、この広告付きシールを囲う枠部２００を有する。【選択図】図１
0003212443.tif 000002
【実用新案登録請求の範囲】
【請求項１】
設備を管理する設備管理者から設備を使用する設備使用者に向けた設備使用者向けメッセージが表示される設備使用者向けメッセージ表示領域と、
修理業者の連絡先および／または修理業者のサービス内容が表示される広告表示領域と、
を有する、広告付きシール。
【請求項２】
請求項１に記載の広告付きシールにおいて、
広告付きシールが設備に接着された状態にて、前記設備使用者向けメッセージ表示領域に表示される前記設備使用者向けメッセージは、前記広告表示領域に表示される前記修理業者の連絡先および／または前記修理業者のサービス内容よりも上方に表示される、
広告付きシール。
【請求項３】
請求項１に記載の広告付きシールにおいて、
前記修理業者は、設備管理者の要望に応じてトイレなどの設備の水が流れなくなったなどのトラブルに対応するサービスを行う者であり、
前記設備使用者は、家庭や店舗内のトイレを使用する者であり、
前記設備管理者は、家庭や店舗内のトイレなどの設備を管理している者であり、
前記設備使用者向けメッセージは、トイレを汚さずに使用することを前記設備使用者に促すメッセージである、広告付きシール。
【請求項４】
請求項１に記載の広告付きシールにおいて、
前記設備使用者向けメッセージが男性の座り小便を推奨するメッセージである、広告付きシール。
【請求項５】
広告付きシールと、前記広告付きシールを囲う枠部と、を有する広告付きシートであって、
前記枠部の四隅のいずれか一つ以上に、前記広告付きシールが掲載される場所を指定するための、設備を管理する設備管理者に向けたメッセージおよび／または前記広告付きシールを店舗の設備に掲載してもらうための設備管理者に向けたメッセージが表示され、
前記広告付きシールは、
設備を管理する設備管理者から設備を使用する設備使用者に向けた設備使用者向けメッセージが表示される設備使用者向けメッセージ表示領域と、
修理業者の連絡先および／または修理業者のサービス内容が表示される広告表示領域と、
を有する、
広告付きシート。
【考案の詳細な説明】
【技術分野】
【０００１】
本考案は、広告付きシールおよび広告付きシートに関する。
【背景技術】
【０００２】
裏面に広告印刷を施したレシート用紙が知られている。例えば、特開２００９−１９９０１４号公報（特許文献１）には、「レシート用紙の裏面に広告情報が印刷されるレシート用紙であって、一片のレシート用紙における裏面広告情報印刷の長さが表面印刷の長さ以下に設定され、一片のレシート用紙において少なくとも一単位の広告情報が印刷表示されていることを特徴とするレシート用紙としたことにより代金支払い時に顧客に対して手渡されるレシート用紙裏面に途切れることなく完全な形で広告情報が印刷されている。」と記載されている。
【先行技術文献】
【特許文献】
【０００３】
【特許文献１】特開２００９−１９９０１４号公報
【考案の概要】
【考案が解決しようとする課題】
【０００４】
トイレの水が流れなくなった場合のトラブルなどに対応する修理業者が知られている。これらの修理業者には、設備内に自社の連絡先などが記載された広告を掲載することで、トラブル時に問い合わせを得たいという願望がある。
特許文献１に記載されている技術では、領収書、受領証として多数配布されるレシートの裏面を有効な広告スペースとして活用できる。しかしながら、従来の技術では、設備管理者（（家庭や店舗内のトイレなどの設備を管理している者））にとって、修理業者の広告を設備内に掲載する必要性に乏しい。そのため、設備内に広告を掲載してもらいにくいという問題があった。
本考案の目的は、修理業者の広告を設備内に掲載してもらいやすくすることを可能にする技術を提供することである。
【課題を解決するための手段】
【０００５】
本願において開示される考案のうち、代表的なものの概要を簡単に説明すれば、次の通りである。
本考案の一実施の形態の広告付きシールは、設備を管理する設備管理者から設備を使用する設備使用者に向けた設備使用者向けメッセージが表示される設備使用者向けメッセージ表示領域を有する。また、修理業者の連絡先および／または修理業者のサービス内容が表示される広告表示領域を有する。
【０００６】
また、本考案の一実施の形態の広告付きシートは、広告付きシールと、前記広告付きシールを囲う枠部と、を有する広告付きシートであって、前記枠部の四隅のいずれか一つ以上に、前記広告付きシールが掲載される場所を指定するための、設備を管理する設備管理者に向けたメッセージおよび／または前記広告付きシールを店舗の設備に掲載してもらうための設備管理者に向けたメッセージが表示される。また、前記広告付きシールは、設備を管理する設備管理者から設備を使用する設備使用者に向けた設備使用者向けメッセージが表示される設備使用者向けメッセージ表示領域と、修理業者の連絡先および／または修理業者のサービス内容が表示される広告表示領域と、を有する。
【考案の効果】
【０００７】
本願において開示される考案のうち、代表的なものによって得られる効果を簡単に説明すれば以下のとおりである。
本考案の一実施の形態によれば、修理業者の広告が設備内に掲載されやすくなる。
【図面の簡単な説明】
【０００８】
【図１】本考案の一実施の形態における広告付きシールを有する広告付きシートの平面図である。
【図２】本考案の一実施の形態における広告付きシールが使用されてる状態を示す図である。
【図３】本考案の他の形態における広告付きシールの平面図である。
【図４】本考案の他の形態における広告付きシールの平面図である。
【図５】本考案の他の形態における広告付きシールの平面図である。
【考案を実施するための形態】
【０００９】
以下、本考案の実施の形態を図面に基づいて詳細に説明する。なお、実施の形態を説明するための全図において、同一部には原則として同一の符号を付し、その繰り返しの説明は省略する。
図１は、本考案の一実施の形態における広告付きシール１００を有する広告付きシート１０の平面図である。図１に示されるように、広告付きシート１０は、円形状の広告付きシール１００と、広告付きシール１００を囲う正方形状の枠部２００と、を有する。また、広告付きシート１０、広告付きシール１００、枠部２００は、いずれもシート状である。
【００１０】
枠部２００の大きさは、縦方向の長さが３ｃｍ〜３０ｃｍであり、横方向の長さが３ｃｍ〜３０ｃｍである。また、枠部２００の形状は、四角形状であれば良く、四角形上に限られない。
枠部２００は、台紙（不図示）と略同一の四角形状で構成される。また、枠部２００は、裏面（背面）に接着剤で形成される粘着層（不図示）が設けられ、台紙に剥離可能に仮着されている。なお、粘着層は、粘着力を発生させるものであれば如何なるものであってもよく、粘着剤を塗布して形成されてもよいし、両面テープで形成されてもよい。
枠部２００の四隅には、メッセージ表示領域２１０が形成され、メッセージ表示領域２１０には、広告付きシール１００を張る場所（掲載される場所）を指定するための、設備管理者に向けた「トイレの上蓋に貼って使ってね」などのメッセージが表示される。また、メッセージ表示領域２１０には、広告付きシール１００を店舗の設備内に貼ってもらうための、設備管理者に向けた「トイレは綺麗に使いましょう」などのメッセージが表示される。なお、メッセージ表示部２１０は、枠部の四隅のいずれか一つ以上に形成されていれば良い。
【００１１】
広告付きシール１００には、会社名表示領域１１０と、設備使用者向けメッセージ表示領域１２０と、図形表示領域１３０と、広告表示領域１４０とを有する。広告付きシール１００は、粘着層が、設備の壁面やトイレの上蓋に接着（メッセージ表示領域２１０などに表示された文字が、設備使用者にとって判読容易な向き（文字が逆方向にならない向き）で接着）される。
【００１２】
なお、広告付きシール１００は、図２に示されるようにトイレの閉じられた上蓋の天面に接着されるようにしても良いし、開けられた上蓋の底面（天面とは反対側の面）に接着されるようにしても良い。
【００１３】
広告付きシール１００の大きさは、直径が２ｃｍ〜２８ｃｍである。なお、広告付きシール１００は、真円形状に限られず、楕円形状としても良い。
会社名表示領域１１０には、設備管理者の要望に応じてトイレなどの設備の水が流れなくなったなどのトラブルに対応するサービスを行う修理業者（以下、単に修理業者と呼ぶ場合がある）の会社名が表示される。
設備使用者向けメッセージ表示領域１２０には、設備を管理する設備管理者から設備を使用する設備使用者に向けた設備使用者向けメッセージが表示される。設備使用者とは、家庭や店舗内のトイレを使用する者である。例えば、設備が飲食店である場合、設備使用者としては飲食店に来店する顧客が該当する。
設備使用者向けメッセージは、設備を管理する設備管理者から設備を使用する設備使用者に向けたメッセージであり、設備管理者から設備使用者への要望などが該当する。設備がトイレである場合、設備使用者向けメッセージは、トイレを汚さずに使用することを設備使用者に促すメッセージである。具体的には、設備がトイレである場合、設備使用者向けメッセージは、「男子も座って使ってね」などのメッセージが該当する。
ここで、家庭や店舗のトイレを管理している設備管理者は、トイレを綺麗に使用してもらう為に日々努力を行っている。その中でトイレの汚れる原因である、洋式トイレでの男性の立小便に対して注意喚起したいというニーズが高まっている。そのため、設備使用者向けメッセージを男性に座り小便を推奨するものにすることで、トイレが立小便によって汚れることを抑制できる。
図形表示領域１３０には、設備使用者が視認するための図形が表示される。図形表示領域１３０に表示される図形としては、例えば、設備使用者向けメッセージ表示領域１２０に表示されるメッセージの内容を表す図形が該当する。例えば、設備使用者向けメッセージ表示領域１２０に表示されるメッセージがトイレを汚さずに使用することを設備使用者に促すメッセージである場合、図形表示領域１３０には、座ってトイレを使用している状態を表す図形が表示される。
【００１４】
なお、枠部２００と、広告付きシール１００を構成する文字、図形、記号、絵柄等を、通常の印刷インキを使用して形成する代わりに、例えば、蛍光性インキ、示温性インキ等を使用して広告表示部３を形成しても良い。また、枠部２００と、広告付きシール１００の構造を凹凸画像等にすることで、文字、図形、記号、絵柄等を形成するようにしても良い。さらに、ホログラフィー等を使用して枠部２００、広告付きシール１００を形成しても良い。
【００１５】
広告表示領域１４０には、修理業者の連絡先（電話番号、メールアドレス）や、修理業者のサービス内容などが表示される。修理業者のサービス内容としては、文字情報で「水道トラブル」「トイレ詰まり」などを表示しても良い。また、修理業者のサービス内容を示す図形（アイコンなど）を表示するようにしても良い。
【００１６】
広告付きシール１００が設備の壁面やトイレの上蓋やトイレタンクに接着された状態にて、設備使用者向けメッセージ表示領域１２０に表示される設備使用者向けメッセージは、広告表示領域１４０に表示される修理業者の連絡先（電話番号、メールアドレス）、修理業者のサービス内容よりも上方に表示される。
【００１７】
なお、図３〜図５に示されるように、広告付きシール３００，４００，５００が四角形上であっても良い。図３〜図５に示される広告付きシール３００，４００，５００の大きさは、縦方向（短手方向）に３ｃｍ〜１８ｃｍで、横方向（長手方向）に５ｃｍ〜２８ｃｍで形成される。
【００１８】
また、図３〜図５に示されるように、広告付きシール３００，４００，５００が、会社名表示領域１１０および図形幼児領域１３０とを有さず、設備使用者向けメッセージ表示領域３１０〜５１０と、広告表示領域３２０〜５２０とから構成されるようにしても良い。
【００１９】
また、設備使用者向けメッセージ表示領域５１０に表示されるメッセージは、設備を管理する設備管理者から設備を使用する設備使用者に向けたものであれば良く、例えば、図５に示されるように、「一歩前へ」などにしても良い。
【００２０】
＜本実施の形態の効果＞
以上説明した本実施の形態における広告付きシール１００によれば、設備を管理する設備管理者から設備を使用する設備使用者に向けた設備使用者向けメッセージが表示される設備使用者向けメッセージ表示領域１２０を有することで、修理業者の広告が設備内に掲載されやすくなる。そして、修理業者の集客効果を高めることができる。
【００２１】
また、広告付きシール１００が設備の壁面やトイレの上蓋やトイレタンクに接着された状態にて、設備使用者向けメッセージ表示領域１２０に表示される設備使用者向けメッセージは、広告表示領域１４０に表示される修理業者の連絡先および／または前記修理業者のサービス内容よりも上方に表示されることで、設備使用者に対して目立つ位置に設備使用者向けメッセージを表示させることができる。これによって、設備管理者からのメッセージが設備使用者に伝わりやすくなる。そして、設備管理者が広告付きシール１００を設備内に掲載するメリットが高まり、より修理業者の広告が設備内に掲載されやすくなる。
【００２２】
また、設備使用者向けメッセージが、トイレを汚さずに使用することを設備使用者に促すメッセージであることで、トイレを清潔に保つことができるようになり、トイレを汚さずにしてもらいたい設備管理者による、広告付きシール１００の設備内への掲載をさらに促進できる。
【００２３】
以上、本考案者によってなされた考案を実施の形態に基づき具体的に説明したが、本考案は前記実施の形態に限定されるものではなく、その要旨を逸脱しない範囲で種々変更可
ま能であることはいうまでもない。例えば、広告付きシール１００の形状が三角形状、五角形状、六角形状、七角形状、八角形上、九角形状である実施形態もある。また、たとえば、広告付きシール１００は、上記以外にも、メッセージを表示可能な形状であれば良い。
【００２４】
本考案は、上記実施の形態に限定されるものではなく、その要旨を逸脱しない範囲で種々変更可能であることは言うまでもない。また、上記した実施の形態は本考案を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００２５】
１０…広告付きシート、
１００…広告付きシール、１１０…会社名表示領域、１２０…設備使用者向けメッセージ表示領域、１３０…図形表示領域、１４０…広告表示領域、
２００…枠部、２１０…メッセージ表示領域。
【図１】
0003212443.tif 000003
【図２】
0003212443.tif 000004
【図３】
0003212443.tif 000005
【図４】
0003212443.tif 000006
【図５】
0003212443.tif 000007